(57)【要約】【課題】操作部での操作を簡単にして、所望とする日時の番組を、容易にかつ確実に閲覧することを可能とする。【解決手段】表示画面に表示される電子番組表２６Ａでは、横方向に各チャンネル欄２７が配列され、各チャンネル欄２７では、放送開始時刻順に番組が配列されて表示される。かかる電子番組表示欄２６Ａの中心部にカーソル２８が設定されており、このカーソルによってフャーカスされた番組のチャンネル欄（フォーカスされたチャンネル欄）２７の左側辺に沿って順次の時刻を表わす時刻表示欄２９が配置され、このフォーカスされたチャンネル欄２７の右側辺に沿って順次の日にちを表わす日付表示欄３０が配置されている。図示しないリモコンの所定のキーが操作されると、カーソル２８と時刻表示欄２９と日付表示欄３０との位置は固定されて、チャンネル欄２７の配列が上下、あるいは左右にスクロールする。【選択図】図３
2007266971.tif 000002
【特許請求の範囲】
【請求項１】
電子番組表情報を受信し、該電子番組表情報を用いて表示画面に放送番組の電子番組表を閲覧可能に表示し、操作部の操作によって該電子番組表の操作を可能とした電子番組表閲覧装置において、
該表示画面に表示される該電子番組表は、
該表示画面の横方向に沿って各放送チャンネルの番組リストを表わすチャンネル欄が、縦方向に沿って該チャンネル欄での放送番組が放送開始時刻順に夫々配置され、
該表示画面の中央部に該カーソルが位置設定されて、該カーソルにより、該表示画面の左右中央部に位置する該チャンネル欄の上下中央部の番組がフォーカスされ、
該カーソルによって番組がフォーカスされた該チャンネル欄をフォーカスチャンネル欄として、該フォーカスチャンネル欄の縦方向の一方の辺に沿って順次の時刻を表わす時刻表示欄が配置され、該フォーカスチャンネル欄の縦方向の他方の辺に沿って順次の日付を表わす日付表示欄が配置されて
なることを特徴とする電子番組表閲覧装置。
【請求項２】
請求項１において、
前記電子番組表は、操作手段の第１の操作により、前記カーソル，前記時刻表示欄及び前記日付表示欄との表示位置を一定として、上下，左右方向にスクロールすることを特徴とする電子番組表閲覧装置。
【請求項３】
請求項１において、
前記操作手段の第１の操作により、前記電子番組表上を前記カーソルが縦方向に移動し、該操作部の第２の操作により、前記カーソル，前記時刻表示欄及び前記日付表示欄が、これら相互の位置関係を保って、前記電子番組表上を横方向に前記１チャンネル欄毎に移動可能としたことを特徴とする電子番組表閲覧装置。
【請求項４】
請求項１，２または３において、
前記操作手段の第２の操作により、前記カーソルが前記日付表示欄をフォーカスし、さらに、該操作手段の第３の操作により、複数の一連の日付が配列されてなる日付一覧表示エリアが表示され、該操作手段の第４の操作によって該日付一覧表示エリアから所望とする日付を選択することにより、選択された該日付の番組からなる前記電子番組表の表示に変更可能としたことを特徴とする電子番組表閲覧装置。
【請求項５】
請求項１，２，３または４において、
前記操作手段の第５の操作により、前記カーソルが前記時刻表示欄をフォーカスし、さらに、該操作手段の第６の操作により、複数の一連の時刻からなる時刻一連表示エリアが表示され、該操作手段の第７の操作によって該時刻一覧表示エリアから所望とする時刻を選択することにより、選択された該時刻に放送開始する番組を含む一連の番組からなる番組リストを表わすチャンネル欄からなる電子番組表の表示に変更可能としたことを特徴とする電子番組表閲覧装置。
【請求項６】
電子番組表情報を受信し、該電子番組表情報を用いて表示画面に放送番組の電子番組表を閲覧可能に表示し、操作部の操作によって該電子番組表の操作を可能とした電子番組表閲覧装置において、
該表示画面に表示される該電子番組表は、
該表示画面の縦方向に沿って１つの放送チャンネルの放送番組が放送開始時刻順に配置され、上下方向中央部に、該放送チャンネルのチャンネル名が表示されるチャンネル表示欄が設けられた番組リスト表示エリアと、
該番組リスト表示エリアの一方の縦方向の辺に沿って配置される２４時間の一連の時刻が配置された時刻リスト表示エリアと、
該番組リスト表示エリアと該時刻リスト表示エリアとの表示領域外に配置され、複数の一連の日付が配列されてなる日付リスト表示エリアと
からなり、
該操作部の操作により、該番組リスト表示エリアでの放送番組や該チャンネル欄，時刻リスト表示エリア，該日付リスト表示エリアのいずれか１つをフォーカスするカーソルが設けられていることことを特徴とする電子番組表閲覧装置。
【請求項７】
請求項６において、
前記カーソルが前記番組リスト表示エリアでの放送番組のいずれか１つをフォーカスしているとき、フォーカスされた該放送番組の関連情報を表わす関連情報表示エリアを表示し、
前記操作部の第１の操作により、前記カーソルが前記番組リスト表示エリアでの前記放送番組と前記チャンネル欄の配列に沿って移動し、前記操作部の第２の操作により、前記番組リスト表示エリアの番組から前記関連情報表示エリア，前記時刻リスト表示エリア，前記日付リスト表示エリアの順にカーソルを移動可能として、これら表示エリアを順番にフォーカスし、
前記関連情報表示エリアのフォーカス状態での前記操作部の第２の操作により、表示される関連情報を変更可能とし、
前記時刻リスト表示エリアのフォーカス状態での前記操作部の第３の操作により、前記番組リスト表示エリアで放送開始時刻が異なる放送番組への変更表示を可能とし、
前記日付リスト表示エリアのフォーカス状態での前記操作部の第４の操作により、前記番組リスト表示エリアで放送日が異なる放送番組への変更表示を可能とすることを特徴とする電子番組表閲覧装置。
【請求項８】
請求項７において、
前記番組リスト表示エリアと前記時刻リスト表示エリアと前記日付リスト表示エリアとの表示領域外に表示形式選択欄が表示され、
前記操作部の第５の操作により、前記カーソルで該表示形式選択欄をフォーカスし、前記電子番組表の表示形式を変更可能としたことを特徴とする電子番組表閲覧装置。
【請求項９】
請求項６〜８のいずれか１つにおいて、
前記チャンネル欄をカーソルによってフォーカスした状態での前記操作部の第６の操作により、前記番組リスト表エリアでの番組表示のチャンネルを変更可能としたことを特徴とする電子番組表閲覧装置。
【発明の詳細な説明】
【技術分野】
【０００１】
本発明は、放送番組信号から電子番組表（ＥＰＧ）情報を取得し、表示画面で電子番組表を閲覧可能とするとともに、所望とする番組を選択できるようにした電子番組表閲覧装置に関する。
【背景技術】
【０００２】
従来、テレビ受像機で放送番組を視聴する場合、各チャンネル（放送局）で現在放送されている番組を確認したり、視聴したいと思うような番組を探したりするのに、通常、新聞や雑誌などに載っている番組表を利用するものであったが、近年では、放送番組信号に電子番組表情報が重畳あるいは多重化されて送信されるようになったことから、受信した放送番組信号からかかる電子番組表情報を取得し、この電子番組表情報を用いて番組表を作成し、これを画面表示する技術が提案されている（例えば、特許文献１参照）。
【０００３】
このように、電子番組表情報から作成された番組表を、以下、電子番組表ということにするが、かかる特許文献１に記載の発明では、電子番組表が番組ガイド表示画面に表示され、表示される番組ガイド表示画面の水平方向（横方向）に各チャンネルが順に配列され、各チャンネルにおいて、画面の垂直方向（縦方向）に各番組が放送開始時刻順に配列されて表示されるように、電子番組表が構成されている。そして、各チャンネルの番組が配列されたエリアの左辺に沿って時刻リストと日付とが表示されており、各チャンネルでは、この日付での時刻リストに表示される時刻に放送される番組が表示される。かかる番組表では、操作部の位置表示ユニットを操作して番組選択カーソルを表示される所望の番組上に移動させ、操作部の決定キーを操作することにより、所望の番組を選択することができる。
【０００４】
また、この特許文献１に記載の電子番組表では、チャンネルの配列方向に沿ってスクロールバーが設けられており、これを操作することによって電子番組表をこのチャンネルの配列方向にスクロールさせることができて、表示されていなかったチャンネルも表示させることができるようにしている。また、チャンネルの番組の配列方向に沿ってもスクロールバーが設けられており、これを操作することにより、電子番組表がこの番組の配列方向にスクロールし、他の時刻や他の日にちに放送される番組を電子番組表に表示させることができるようにしている。
【０００５】
さらに、表示フィルタ設定画面を表示することにより、電子番組表で表示される日付や曜日，時刻を指定できるようにしている。そして、指定された日にち，曜日，時刻に放送される番組が電子番組表に表示されるようにしており、これにより、希望する日にち，曜日，時刻に放送される番組の電子番組表が閲覧できるようにしている。また、番組ガイド表示画面での電子番組表の表示形式を選択できるようにした表示形式設定画面も表示できるようにしている。
【０００６】
これら番組ガイド表示画面と表示フィルタ設定画面と表示形式設定画面毎にカーソルが設けられており、夫々のカーソルを移動させることにより、夫々の画面毎に必要な項目（番組など）を選択できる。
【０００７】
なお、これら番組ガイド表示画面，表示フィルタ設定画面，表示形式設定画面は、同じ画面に同時に表示され、あるいは、別々に表示され、操作部の操作ボタンによって選択的に表示される。
【０００８】
また、電子番組表の表示の他の例として、時刻リストを番組の配列エリアの左辺に沿って表示し、日にちの指定は、電子番組表の画面とは別に表示された日付選択画面を用いたり、電子番組表中の所定の番組を指定すると、この番組の表示エリアから日付選択の副画面が吹き出し状に表示されるようにした技術も提案されている（例えば、特許文献２参照）。
【０００９】
電子番組表の表示のさらに他の例として、時刻リストが画面の中央で、電子番組表を２分割するように、縦長に表示され、電子番組表に番組を指定するためのカーソルが表示されて、操作部のカーソルキーを操作することにより、電子番組表上でこのカーソルを上下左右に移動させることができ、これにより、所望の番組を指定することができるとともに、カーソルキーが電子番組表の下端もしくは上端にあって、カーソルキーを操作すると、別の番組が表示されるようになる（電子番組表がスクロールする）技術も提案されている（例えば、特許文献３参照）。
【特許文献１】特開２００１ー３１３８７８
【特許文献２】特開２００２ー１０１３５０
【特許文献３】特開２００３ー１６３８５５
【発明の開示】
【発明が解決しようとする課題】
【００１０】
ところで、上記特許文献１に記載の電子番組表では、カーソルを移動させることにより、ユーザが希望する番組を選択することができるが、番組ガイド表示画面に表示されていないチャンネルや番組を選択するためには、スクロールバーの操作が必要であり、カーソルをそれらのスクロールバーに移動させるための操作が必要となる。このため、ユーザはカーソルの位置を認識しながらこのカーソルをスクロールバーまで移動させるための操作部の操作が必要であり、操作に手間がかかることになる。
【００１１】
希望する番組の放送日にちや放送開始時刻がわかっている場合には、番組ガイド表示画面とは別の表示フィルタ画面を利用し、そこでのカーソルを操作してその放送日にちや放送開始時刻を指定すればよいが、表示フィルタ画面を利用できるようにするための操作部の操作が必要であり、表示フィルタ画面で指定された放送日にちや放送開始時刻の番組の電子番組表が番組ガイド表示画面で表示されると、そこでの番組を指定するためには、番組ガイド表示画面でそのカーソルが使用できるようにして、この番組ガイド表示画面を利用できるようにするための操作部の操作が必要であり、やはり操作に手間がかかることになる。
【００１２】
上記特許文献２に記載の発明も、電子番組表の左側に時刻リストが設けられているが、所望の放送開始時刻の番組を選択するためには、カーソルの移動や電子番組表のスクロールが必要であり、かかる番組を選択するのに時間がかかることになる。
【００１３】
また、特許文献２に記載の発明では、別の日にちの電子番組表を表示するためには、電子番組表の表示画面に代えて、日付選択画面を表示させたり、現在表示されている電子番組表での番組を指定することにより、吹き出しなどによって別の日付選択画面を表示させたりするものであって、このような日付選択画面を表示させるための操作が必要となり、操作が煩雑となって手間がかかることになる。
【００１４】
さらに以上の特許文献１，２に記載の発明では、時刻リストの表示エリアや日付リストの表示エリアが電子番組表の表示画面に表示されているときには、この表示画面の端部に表示される。このため、かかる時刻や日付のリストとカーソルとの位置が極端に離れる場合もあり、電子番組表をスクロールさせる場合などでは、所望の日時の番組を探す場合には、電子番組表をスクロールさせながら日時の確認も必要であり、操作がしにくいものとなる。
【００１５】
これに対し、上記特許文献３に記載の発明では、電子番組表の中央部に時刻リストが表示され、これにより、カーソルが移動しても、上記の特許文献１，２に記載の発明に比べ、カーソルと時刻リストとの距離が低減されるから、電子番組表をスクロールしながらの時刻の確認し易いものとなるが、異なる日にちの番組の表示には、電子番組表をスクロールさせることが必要であり、手間と時間がかかることになる。
【００１６】
本発明の目的は、かかる問題を解消し、操作部での操作を簡単にして、所望とする日時の番組を、容易にかつ確実に閲覧することを可能とした電子番組表閲覧装置を提供することにある。
【００１７】
また、上記特許文献１〜３に記載の発明では、複数の放送チャンネルの番組を同時に表示するものであるから、各放送番組の表示範囲が小さいものとなり、カーソルを操作して所望とする番組に合わせるための操作が細かくなってユーザに負担を掛けることになるし、また、放送番組の表示範囲に表示される番組情報も小さな文字などで表示されることになり、見づらいものとなる。
【００１８】
本発明の他の目的は、かかる問題を解消し、番組の選択操作をし易くするとともに、番組の表示範囲での番組情報も見易くし、所望番組の選択操作を迅速、確実に行なうことを可能とした電子番組表閲覧装置を提供することにある。
【課題を解決するための手段】
【００１９】
上記目的を達成するために、本発明は、電子番組表情報を受信し、該電子番組表情報を用いて表示画面に放送番組の電子番組表を閲覧可能に表示し、操作部の操作によって該電子番組表の操作を可能とした電子番組表閲覧装置であって、該表示画面に表示される該電子番組表が、該表示画面の横方向に沿って各放送チャンネルの番組リストを表わすチャンネル欄が、縦方向に沿って該チャンネル欄での放送番組が放送開始時刻順に夫々配置され、該表示画面の中央部に該カーソルが位置設定されて、該カーソルにより、該表示画面の左右中央部に位置する該チャンネル欄の上下中央部の番組がフォーカスされ、該カーソルによって番組がフォーカスされた該チャンネル欄をフォーカスチャンネル欄として、該フォーカスチャンネル欄の縦方向の一方の辺に沿って順次の時刻を表わす時刻表示欄が配置され、該フォーカスチャンネル欄の縦方向の他方の辺に沿って順次の日付を表わす日付表示欄が配置されてなることを特徴とするものである。
【００２０】
また、本発明は、前記電子番組表が、操作手段の第１の操作により、前記カーソル，前記時刻表示欄及び前記日付表示欄との表示位置を一定として、上下，左右方向にスクロールすることを特徴とするものである。
【００２１】
また、本発明は、前記操作手段の第１の操作により、前記電子番組表上を前記カーソルが縦方向に移動し、該操作部の第２の操作により、前記カーソル，前記時刻表示欄及び前記日付表示欄が、これら相互の位置関係を保って、前記電子番組表上を横方向に前記１チャンネル欄毎に移動可能としたことを特徴とするものである。
【００２２】
また、本発明は、前記操作手段の第２の操作により、前記カーソルが前記日付表示欄をフォーカスし、さらに、該操作手段の第３の操作により、複数の一連の日付が配列されてなる日付一覧表示エリアが表示され、該操作手段の第４の操作によって該日付一覧表示エリアから所望とする日付を選択することにより、選択された該日付の番組からなる前記電子番組表の表示に変更可能としたことを特徴とするものである。
【００２３】
また、本発明は、前記操作手段の第５の操作により、前記カーソルが前記時刻表示欄をフォーカスし、さらに、該操作手段の第６の操作により、複数の一連の時刻からなる時刻一連表示エリアが表示され、該操作手段の第７の操作によって該時刻一覧表示エリアから所望とする時刻を選択することにより、選択された該時刻に放送開始する番組を含む一連の番組からなる番組リストを表わすチャンネル欄からなる電子番組表の表示に変更可能としたことを特徴とするものである。
【００２４】
上記他の目的を達成するために、本発明は、電子番組表情報を受信し、該電子番組表情報を用いて表示画面に放送番組の電子番組表を閲覧可能に表示し、操作部の操作によって該電子番組表の操作を可能とした電子番組表閲覧装置であって、該表示画面に表示される該電子番組表が、該表示画面の縦方向に沿って１つの放送チャンネルの放送番組が放送開始時刻順に配置され、上下方向中央部に、該放送チャンネルのチャンネル名が表示されるチャンネル表示欄が設けられた番組リスト表示エリアと、該番組リスト表示エリアの一方の縦方向の辺に沿って配置される２４時間の一連の時刻が配置された時刻リスト表示エリアと、該番組リスト表示エリアと該時刻リスト表示エリアとの表示領域外に配置され、複数の一連の日付が配列されてなる日付リスト表示エリアとからなり、該操作部の操作により、該番組リスト表示エリアでの放送番組や該チャンネル欄，時刻リスト表示エリア，該日付リスト表示エリアのいずれか１つをフォーカスするカーソルが設けられていることことを特徴とするものである。
【００２５】
また、本発明は、前記カーソルが前記番組リスト表示エリアでの放送番組のいずれか１つをフォーカスしているとき、フォーカスされた該放送番組の関連情報を表わす関連情報表示エリアを表示し、前記操作部の第１の操作により、前記カーソルが前記番組リスト表示エリアでの前記放送番組と前記チャンネル欄の配列に沿って移動し、前記操作部の第２の操作により、前記番組リスト表示エリアの番組から前記関連情報表示エリア，前記時刻リスト表示エリア，前記日付リスト表示エリアの順にカーソルを移動可能として、これら表示エリアを順番にフォーカスし、前記関連情報表示エリアのフォーカス状態での前記操作部の第２の操作により、表示される関連情報を変更可能とし、前記時刻リスト表示エリアのフォーカス状態での前記操作部の第３の操作により、前記番組リスト表示エリアで放送開始時刻が異なる放送番組への変更表示を可能とし、前記日付リスト表示エリアのフォーカス状態での前記操作部の第４の操作により、前記番組リスト表示エリアで放送日が異なる放送番組への変更表示を可能とすることを特徴とするものである。
【００２６】
また、本発明は、前記番組リスト表示エリアと前記時刻リスト表示エリアと前記日付リスト表示エリアとの表示領域外に表示形式選択欄が表示され、前記操作部の第５の操作により、前記カーソルで該表示形式選択欄をフォーカスし、前記電子番組表の表示形式を変更可能としたことを特徴とするものである。
【００２７】
また、本発明は、前記チャンネル欄をカーソルによってフォーカスした状態での前記操作部の第６の操作により、前記番組リスト表エリアでの番組表示のチャンネルを変更可能としたことを特徴とするものである。
【発明の効果】
【００２８】
本発明によると、カーソルと時刻リスト表示エリアと日付リスト表示エリアとが近接し、かつ一定の位置関係で表示されるので、電子番組表をスクロールする場合も、あるいはカーソルを移動させる場合も、表示画面でのかかる操作を操作部の簡単な操作でもって行なうことができるし、また、時刻や日付の確認も容易となる。
【００２９】
また、本発明によると、表示画面に１チャンネルの番組一覧とチャンネル表示欄がリスト表示されるので、チャンネル表示欄の選択が容易であるし、また、番組情報が見易くなって確認し易くなる。
【発明を実施するための最良の形態】
【００３０】
以下、本発明の実施形態を図面を用いて説明する。
【００３１】
図１は本発明による電子番組表閲覧装置の第１の実施形態の全体構成を示す図であって、１は電子番組表閲覧装置、２は装置本体、３は表示装置、４は表示画面、５はスピーカ、６はアンテナ、７はリモコン、８は電源ボタン、９はメニューボタン、１０はカーソルキー、１０Ｕは上キー、１０Ｄは下キー、１０Ｌは左キー、１０Ｒは右キー、１１は決定キー、１２は番組表ボタン、１３は戻るキーである。
【００３２】
同図において、電子番組表閲覧装置１は、装置本体２と、表示画面４やスピーカ５などを備えた表示装置３と、放送信号を受信するアンテナ６と、装置本体２を制御するリモコン７とから構成されている。装置本体２は、リモコン７の指令のもとに、アンテナ６により、放送番組や電子番組表（ＥＰＧ）を受信し、受信した放送番組の映像を表示装置３の表示画面に表示したり、録画したりするとともに、音声をスピーカ５から出力させ、また、受信した電子番組表を内蔵のメモリやハードディスクに記憶保持する。
【００３３】
なお、以下では、操作部として、リモコン７を用いた場合について説明するが、特に、リモコンに限るものではない。
【００３４】
リモコン７は、その操作面に電源ボタン８やメニューボタン９、カーソルキー１０（即ち、上キー１０Ｕ，下キー１０Ｄ，左キー１０Ｌ，右キー１０Ｒ），決定キー１１，番組表ボタン１２，戻るボタン１３などの操作ボタンを備えており、かかる操作ボタンを操作することにより、その操作に応じた指令信号が赤外線信号で装置本体２に送信される。装置本体２では、この赤外線信号によって指令信号を受信し、この指令信号に応じて制御されて指令された動作を実行する。
【００３５】
ここで、ユーザがリモコン７の電源ボタン８をＯＮ操作すると、装置本体２の電源が投入され、装置本体２がアンテナ６から放送番組を受信して、表示装置３にその受信番組を表示させる。放送番組に重畳されて受信された電子番組表情報は、装置本体２内のメモリやハードディスクに格納される。装置本体２に電源が投入された状態でリモコン７のメニューボタン９が操作されると、装置本体２の記録手段に格納されているメニュー画面が表示装置３の表示画面４に表示される。かかる状態でカーソルキー１０のいずれかが操作されると、メニュー画面とともに表示されているカーソルがメニュー画面上を上下，左右に移動し、所望のメニューを指定することができる。カーソルが所望のメニューを指定した状態で決定キー１１が操作されると、このメニューが選択決定され、操作本体２をこのメニューに応じた動作をさせることが可能となる。番組表ボタン１２が操作されると、装置本体２はメモリやハードディスクに格納されている電子番組表情報を読み出し、表示装置３の表示画面４に電子番組表を表示させる。かかる状態でカーソルキー１０のいずれかを操作することにより、表示されている電子番組表の閲覧や番組選択のための操作をすることができ、決定キー１１を操作することにより、視聴や録画などのための所望の放送番組の選択を行なうことができる。
【００３６】
図２は図１における装置本体２内の回路構成の一具体例を示すブロック図であって、１４はチューナ、１５は番組情報抽出部、１６は映像再生部、１７は表示処理部、１８はメモリ、１９は画像生成部、２０は音声再生部、２１はＨＤＤ（ハードディスク装置）、２２はＤＶＤ（デジタル多用途ディスク装置）、２３は制御部、２４はメモリ、２５はリモコン受光部であり、図１に対応する部分には同一符号をつけている。
【００３７】
同図において、リモコン７（図１）からの赤外線信号はリモコン受光部２５で受光され、これによって送られてくる指令信号が制御部２３に供給される。制御部２３はメモリ２４に記憶されているプログラムを用いて動作し、リモコン７からの指令信号に応じた各部の制御を行なう。
【００３８】
アンテナ６で受信された放送信号はチューナ１４に供給されて、リモコン７によって指定される所望のチャンネルの番組信号が選局される。この番組信号は、番組情報抽出部１５により、映像信号と音声信号とに分離されるとともに、この番組信号に付加されている電子番組表情報が抽出される。映像信号は、映像再生部１６で処理された後、表示処理部１７を介して表示装置３（図１）に供給される。画像生成部１９は後述するカーソルなどといったグラフィックデータなどの画像データを生成するものであって、かかる画像データは、表示処理部１７により、メモリ１８を用いて映像信号と合成され、表示装置３に供給される。これにより、表示装置３の表示画面４にかかる画像データによる画像が表示され、放送番組の映像に重畳してかかる画像を、あるいはかかる画像だけを閲覧することができる。また、音声信号は、音声再生部２０で処理された後、表示装置３に供給される。
【００３９】
番組情報抽出部１５で抽出された受信番組信号の映像信号と音声信号とは、また、リモコン７からの指令により、ＨＤＤ２１やＤＶＤ２２に録画することができる。この場合、録画される受信番組信号には、それを検索できるようにするための検索情報が付加される。番組情報抽出部１５で抽出された電子番組表情報も、ＨＤＤ２１に格納される。
【００４０】
また、ＨＤＤ２１には、先のメニュー画面の情報も格納されており、リモコン７でのメニューボタン９（図１）の操作により、メニュー画面の表示が指令されると、制御部２３の制御により、ＨＤＤ２１からメニュー画面の情報が読み出され、映像再生部１６，表示処理部１７を介して表示装置３（図１）に供給される。これにより、表示装置３の表示画面４にメニュー画面が表示され、リモコン７でのカーソルキー１０と決定キー１１（図１）との操作により、ＨＤＤ２１またはＤＶＤ２２への放送番組の予約録画モードやＨＤＤ２１，ＤＶＤ２２からの録画番組の再生モード，電子番組表の表示モードなどの各モードの１つを指定することができる。
【００４１】
なお、リモコン７の番組表ボタン１２（図１）を操作しても、リモコン７から装置本体２に電子番組表の表示指令が送られる。これにより、ＨＤＤ２１から電子番組表情報が読み出され、表示装置３の表示画面４に表示される。
【００４２】
表示装置３の表示画面４に電子番組表が表示された状態でリモコン７のカーソルキー１０を操作することにより、この表示される電子番組表を操作することができ、決定キー１１の操作と相俟って所望とするチャンネルの放送番組を選択することができるが、次に、この第１の実施形態での電子番組表の操作について説明する。
【００４３】
図１において、リモコン７の番組表ボタン１２を操作して、あるいはメニューボタン９を操作して表示画面４にメニュー画面を表示させ、このメニュー画面から電子番組表のメニューを選択して電子番組表の表示を指示すると、図２において、制御部２３の制御のもとにＨＤＤ２１から記録されている電子番組表情報が読み出され、映像再生部１６を介して表示処理部１７に供給される。この表示処理部１７では、供給された電子番組表情報を処理して所定のレイアウトの電子番組表の画像情報が作成され、また、画像生成部１９で後述するカーソルが生成され、これらが合成されて表示装置３（図１）に供給されるとともに、メモリ１８に記憶される。リモコン７からの操作に応じた指令による制御部２３の制御により、メモリ１８から読み出す記憶領域を変化させ、このようにして読み出した電子番組表の画像情報を表示装置３に供給することにより、表示装置３の表示画面４に表示される電子番組表をの表示箇所を、スクロールなどにより、変化させることができる。
【００４４】
表示装置３では、作成されたレイアウトの電子番組表の一部が表示されるが、リモコン７（図１）のカーソルキー１０や決定キー１１の操作により、電子番組表をスクロールなどして表示されていない部分も閲覧することができるようにすることができるが、かかるスクロールは、上記のように、メモリ１８に記憶されている電子番組表の画像情報の他の部分が読み出されることにより、行なわれる。このため、メモリ１８には、現在表示画面４で表示されている部分を含めて、所定の期間（例えば、２〜３日分）の電子番組表の画像情報が記憶されるが、かかる所定期間を越えた部分の表示が指定されるときには、新たに所定期間の電子番組表情報がＨＤＤ２１から読み出され、表示処理装置１７で処理されて電子番組表の画像情報が作成される。
【００４５】
図３は表示画面４での電子番組表の画面（以下、電子番組表という）の一表示状態を示す図であって、２６Ａは電子番組表、２７はチャンネル欄、２８はカーソル、２９は時刻表示欄、３０は日付表示欄である。
【００４６】
同図において、表示画面４に表示される電子番組表２６Ａは、横方向がチャンネル欄２７が順次配列表示されるチャンネル軸をなし、縦軸がチャンネル欄２７での番組が放送開始時刻順に順次配列表示される時間軸をなしている。
【００４７】
この電子番組表２６Ａには、予め決められた所定数のチャンネル欄２７が同時に表示される。ここでは、５個のチャンネル欄２７が表示されるものとしており、現在、左側からチャンネル１１，１２，１，２，３の５チャンネルが表示されているものとしている。
【００４８】
かかる電子番組表２６Ａには、その中央部に番組選択用の枠状のカーソル２８が表示されており、この中央部に表示される番組が指定（フォーカス）されている状態としている。ここでは、チャンネル１の番組「００  番組Ｃ−６」が、カーソル２８によってフォーカスされていることにより、指定されているものとする。
【００４９】
また、電子番組表２６Ａの中央部に表示され、番組の１つがカーソル２８でフォーカスされているチャンネル欄（以下、かかるチャンネル欄をフォーカスされたチャンネル欄という）２７とその左隣りのチャンネル欄２７との間に、即ち、中央部に表示されるチャンネル欄２７の左辺に沿って時間の流れを示す時刻表示欄２９が設けられ、同じくこの中央部に表示されてフォーカスされたチャンネル欄２７の右辺に沿って日にちの流れを示す日付表示欄３０が設けられている。かかる時刻表示欄２９に表示される時刻はチャンネル欄２７での各番組の放送時間と対応付けられており、かかる日付表示欄３０に表示される日付も、チャンネル欄２７での各番組の放送日と対応付けられている。従って、カーソル２８でフォーカスされているチャンネル１の番組「００  番組Ｃ−６」は、１１月１５日（水）の１３時００分から放送開始の３０分番組ということになる。
【００５０】
図４は電子番組表が表示された図３の表示状態から縦方向（時間軸方向）に１番組分スクロールしたときの表示状態を示す図であって、２６Ｂは電子番組表であり、図３に対応する部分には同一符号をつけて重複する説明を省略する。
【００５１】
図３に示す表示状態でリモコン７の下キー１０Ｄ（図１）が操作されると、電子番組表２６Ａが上方にスクロールし、図４に示す表示状態となる。この下キー１０Ｄはカーソル２８を下方に移動させるものであるが、ここでは、カーソル２８は画面中央部に固定して表示されるものであって、このため、相対的に電子番組表の画面が上方にスクロールする。この場合、下キー１０Ｄを１回操作する毎に、画面の中央部に表示されるフォーカスされたチャンネル欄２７での１番組分スクロールする。従って、図３に示す表示状態で下キー１０Ｄを１回操作すると、図４に示すように、フォーカスされたチャンネル１のチャンネル表示欄２７の１番組分電子番組表２６Ａがスクロールして、図４に示す電子番組表２６Ｂでは、チャンネル１の番組「００  番組Ｃ−６」の次の番組「００  番組Ｃ−７」がカーソル２８でフォーカスされた状態となる。
【００５２】
なお、この番組「００  番組Ｃ−７」も、番組「００  番組Ｃ−６」と同様、３０分間の番組であるので、カーソルの大きさは変わらないが、次にフォーカスされた番組の放送時間が異なれば、カーソル２８は、表示位置は変わらないが、大きさが変化する。後述の他の電子番組表についても同様である。
【００５３】
このようにして、リモコン７の上キー１０Ｕまたは下キー１０Ｄを操作することにより、このフォーカスされたチャンネル１の所望とする番組をカーソル２８でフォーカスして指定することができ、さらに、リモコン７の決定キー１１を操作すると、このフォーカスされた番組が選択決定される。番組が選択決定されると、例えば、この番組の受信や録画予約などのメニュー画面が表示され、そこでメニューを選択することにより、この番組の受信や録画予約などを行なわせることができる。後述する番組の選択決定が可能な他の電子番組表においても、同様である。
【００５４】
図５は、例えば、図４に示す表示状態でリモコン７の右キー１０Ｒが操作されたときの表示状態を示す図であって、２６Ｃは電子番組表、２７ａはチャンネル１のチャンネル欄、２７ｂはチャンネル２のチャンネル欄、２７ｃはチャンネル３のチャンネル欄、２８ａはカーソルであり、前出図面に対応する部分には同一符号をつけて重複する説明を省略する。
【００５５】
図４に示す表示状態でリモコン７の右キー１０Ｒが操作されると、図５に示すように、フォーカスされたチャンネル欄２７、即ち、チャンネル１のチャンネル欄２７ａの右側に表示される日付表示欄３０をフォーカスするカーソル２８ａが表示される。このカーソル２８ａは、カーソル２８を右方向に移動させることを示すものである。
【００５６】
図６は図５に示す表示状態でリモコン７の右キー１０Ｒをさらに操作したときの表示状態を示す図であって、２６Ｄは電子番組表であり、図５に対応する部分には同一符号をつけて重複する説明を省略する。
【００５７】
図５に示す表示状態でリモコン７のカーソル１０Ｒがさらに操作されると、画面、即ち、チャンネル欄２７の配列が左方向に１チャンネル分スクロールし、図６に示すように、チャンネル１のチャンネル欄２７ａの右隣りのチャンネル２のチャンネル欄２７ｂがフォーカスされたチャンネル欄となり、その中央に表示される番組「３０  番組Ｄ−４」がカーソル２８でフォーカスされた状態となる。ここで、右キー１０Ｒはカーソル２８を右方に移動させるものであるが、ここでは、カーソル２８は画面中央部に固定して表示されるものであるから、画面の方が相対的に左方にスクロールする。かかる表示状態で、さらに、リモコン７のカーソル１０Ｒを操作すると、チャンネル欄２７の配列が左方向に、さらに、１チャンネル欄分スクロールし、次のチャンネル３のチャンネル欄２７ｃがフォーカスされたチャンネル欄となる。このようにして、日付表示欄３０がカーソル２８ａでフォーカスされている状態では、リモコン７のカーソル１０Ｒを操作する毎にチャンネル欄２７の配列が左方向に１チャンネル欄ずつスクロールしていく。
【００５８】
図７は図６に示す表示状態でリモコン７の左キー１０Ｌを操作したときの表示状態を示す図であって、図６に対応する部分には同一符号をつけて重複する説明を省略する。
【００５９】
図６に示す表示状態でリモコン７の左キー１０Ｌが操作されると、カーソル２８ａの表示が解除され、図６に示す表示状態でカーソル２８ａだけが表示されない図７に示す電子番組表２６Ｅが表示された状態となる。この電子番組表２６Ｅでは、図６に示す電子番組表２６Ｄと同様、フォーカスされたチャンネル２のチャンネル欄２７ｂでの中央部に表示される番組「３０  番組Ｄ−４」がカーソル２８でフォーカスされた状態にある。
【００６０】
以上のように、リモコン７のカーソル１０Ｒを操作することにより、電子番組表を左方にスクロールさせることができ、これにより、現在のフォーカスされたチャンネル欄２７よりも右側に位置するチャンネル欄２７をフォーカスされたチャンネル欄とすることができて、その所望の番組を選択できることが可能となる。
【００６１】
なお、図６に示す表示状態でリモコン７の上キー１０Ｕが操作されると、図７において、電子番組表２６Ｅが１番組分下方にスクロールして「００  番組Ｄ−３」がカーソル２８でフォーカスされた表示状態となり、図６に示す表示状態でリモコン７の下キー１０Ｄが操作されると、図７において、電子番組表２６Ｅが１番組分上方にスクロールして「００  番組Ｄ−５」がカーソル２８でフォーカスされた表示状態となる。
【００６２】
図８は、例えば、図４に示す表示状態でリモコン７の左キー１０Ｌを操作したときの表示状態を示す図であって、２６Ｆは電子番組表、２７ｄはチャンネル１２のチャンネル欄、２７ｅはチャンネル１１のチャンネル欄、２８ｂはカーソルであり、前出図面に対応する部分には同一符号をつけて重複する説明を省略する。
【００６３】
図３に示す電子番組表２６Ａと同様、カーソルとしてカーソル２８のみが表示され、このカーソル２８によってチャンネル１のチャンネル欄２７ａがフォーカスされたチャンネル欄となっている状態でリモコン７の左キー１０Ｌが操作されると、図８に示すように、このチャンネル欄２７ａの左隣りの、即ち、チャンネル欄２７ａとその左隣りのチャンネル１２のチャンネル欄２７ｄとの間の時刻表示欄２９が新たなカーソル２８ｂによってフォーカスされる。このカーソル２８ｂは、カーソル２８を左方向に移動させることを示すものである。
【００６４】
図９は図８に示す表示状態でリモコン７の左キー１０Ｌをさらに操作したときの表示状態を示す図であって、２６Ｇは電子番組表であり、図８に対応する部分には同一符号をつけて重複する説明を省略する。
【００６５】
図８に示す表示状態でリモコン７の左キー１０Ｌをさらに操作すると、画面、即ち、チャンネル欄２７の配列が右方向に１チャンネル分スクロールし、図９に示すように、チャンネル１のチャンネル欄２７ａの左隣りのチャンネル１２のチャンネル欄２７ｄがフォーカスされたチャンネル欄となり、その中央に表示される番組「００  番組Ｂ−４」がカーソル２８でフォーカスされた状態となる。ここで、左キー１０Ｌはカーソル２８を左方に移動させるものであるが、ここでは、カーソル２８は画面中央部に固定して表示されるものであるから、画面の方が相対的に右方にスクロールする。
【００６６】
図９に示す表示状態で、さらに、リモコン７の左キー１０Ｌが操作されると、チャンネル欄２７の配列が右方向に、さらに、１チャンネル欄分スクロールし、図示しないが、次のチャンネル１１のチャンネル欄２７ｅがフォーカスされたチャンネル欄となって、そのチャンネル１１のチャンネル欄２７ｅの中央部に表示される番組「３０  番組Ａ−３」がカーソル２８でフォーカスされた状態になる。このようにして、時刻表示欄２９がカーソル２８ｂでフォーカスされている状態では、リモコン７の左キー１０Ｌを操作する毎にチャンネル欄２７の配列が右方向に１チャンネル欄分ずつスクロールしていく。
【００６７】
図１０は図９に示す表示状態でリモコン７の右キー１０Ｒを操作したときの表示状態を示す図であって、２６Ｈは電子番組表であり、図９に対応する部分には同一符号をつけて重複する説明を省略する。
【００６８】
図９に示す表示状態でリモコン７の右キー１０Ｒが操作されると、カーソル２８ａの表示が解除され、図９に示す表示状態でカーソル２８ａだけが表示されない図１０に示す電子番組表２６Ｈが表示された状態となる。この電子番組表２６Ｈでは、図９に示す電子番組表２６Ｇと同様、フォーカスされたチャンネル１２のチャンネル欄２７ｄでの中央部に表示される番組「００  番組Ｂ−４」がカーソル２８でフォーカスされた状態にある。
【００６９】
以上のように、リモコン７の左キー１０Ｌを操作することにより、電子番組表を右方にスクロールさせることができ、これにより、現在のフォーカスされたチャンネル欄２７よりも左側に位置するチャンネル欄２７をフォーカスされたチャンネル欄とすることができる。そして、先に説明したように、リモコン７のカーソル１０Ｒを操作することにより、電子番組表を左方にもスクロールさせることができるから、リモコン７のカーソル１０Ｒ，１０Ｌを操作することにより、任意のチャンネルの番組を選択することができる。
【００７０】
なお、図９に示す表示状態でリモコン７の上キー１０Ｕが操作されると、図１０において、電子番組表２６Ｈが１番組分下方にスクロールして「００  番組Ｂ−３」がカーソル２８でフォーカスされた表示状態となり、図９に示す表示状態でリモコン７の下キー１０Ｄが操作されると、図１０において、電子番組表２６Ｈが１番組分上方にスクロールして「５０  番組Ｂ−５」がカーソル２８でフォーカスされた表示状態となる。
【００７１】
図１１は図５に示す表示状態でリモコン７の決定キー１１（図１）が操作されたときの表示状態を示す図であって、２６Ｉは電子番組表、２８ｃはカーソル、３１は日付一覧表示エリアであり、図５に対応する部分には同一符号をつけて重複する説明を省略する。
【００７２】
図５に示すように電子番組表２６Ｃが表示されている状態でリモコン７の決定キー１１が操作されると、日付表示欄３０に重なって縦長の日付一覧表示エリア３１が表示される電子番組表２６Ｉが表示される。この日付一覧表示エリア３１には、現在日付表示欄３０に表示されている日付（ここでは、１１月１５日（水））を含む複数の日付（ここでは、８日分）が縦列で順番に表示されており、そのうちの１つがカーソル２８ｃでフォーカスされて指定されている。この電子番組表２６Ｉが表示開始されるときには、カーソル２８ｃでフォーカスされる日付は現在日付表示欄３０に表示されている日付である。
【００７３】
かかる表示状態でリモコン７の上キー１０Ｕまたは下キー１０Ｄが操作されると、カーソル２８ｃが上方または下方に移動し、表示されている日付のいずれかを指定することができる。カーソル２８ｃが最上位の日付をフォーカスした状態でさらに上キー１０Ｕが操作されると、日付の列が下方にスクロールしてこれまで表示されていなかった日付が上から日付一覧表示エリア３１に現われて表示されるようになり、また、カーソル２８ｃが最下位の日付をフォーカスした状態でさらに下キー１０Ｄが操作されると、日付の列が上方にスクロールしてこれまで表示されていなかった日付が下から日付一覧表示エリア３１に現われて表示されるようになる。これにより、所望の日付を指定することができる。
【００７４】
図１２は図１１に示す表示状態で日付を変更した電子番組表を示す図であって、２６Ｊは電子番組表であり、図１１に対応する部分には同一符号をつけて説明を省略する。
【００７５】
図１３は図１２に示す表示状態でリモコンの決定キーを操作したときの表示状態を示す図であって、２６Ｋは電子番組表であり、前出図面に対応する部分には同一符号をつけて重複する説明を省略する。
【００７６】
図１２に示す日付一覧表示エリア３１で「１１／１４火」の日付がフォーカスされている電子番組表２６Ｊの表示状態でリモコン７の決定キー１１が操作されると、図１３に示すように、フォーカスされたチャンネル欄であるチャンネル１のチャンネル欄２７ａでの中央部に表示される番組「３０  番組Ｃ−１０７」がカーソル２８でフォーカスされた電子番組表２６Ｋの表示状態となる。この電子番組表２６Ｋでは、図１２で示した日付一覧表示エリア３１が表示されず、代わりに日付表示欄３０がカーソル２８ａによってフォーカスされている。即ち、図５に示す電子番組表２６Ｃと同様の状態の画面となるが、図１２に示す電子番組表２６Ｊでの日付の変更操作により、日付表示欄３０での日付が変更され、これとともに、各チャンネル欄２７での表示される番組がこの日付表示欄３０の日付（１１月１４日（火））の番組となっている。
【００７７】
この電子番組表２６Ｋの表示状態でリモコン７の決定キー１１が操作されると、再び図１２に示す日付一覧表示エリア３１が表示された電子番組表２６Ｊが表示され、上記のようにして、表示画面４に表示する電子番組表を変更することができる。
【００７８】
このようにして、日付一覧表示エリア３１を表示させることにより、閲覧を希望する日付の電子番組表の表示を簡単に行なわせることができ、従来の番組の検索方法のように、電子番組表を長々とスクロールさせる必要はなく、日付の異なる番組の検索の手間を大幅に軽減できることになる。
【００７９】
図１４は図８に示す表示状態でリモコン７の決定キー１１（図１）が操作されたときの表示状態を示す図であって、２６Ｌは電子番組表、２８ｄはカーソル、３２は時刻一覧表示エリアであり、図８に対応する部分には同一符号をつけて重複する説明を省略する。
【００８０】
図８に示すように電子番組表２６Ｆが表示されている状態でリモコン７の決定キー１１が操作されると、図１４に示すように、時刻表示欄２９に重なって縦長の時刻一覧表示エリア３２が表示される電子番組表２６Ｌが表示される。この時刻一覧表示エリア３２には、現在時刻表示欄２９に表示されている時刻のうちのカーソルでフォーカスされている番組の放送時刻（図８では、１３時）を含む複数の時刻（ここでは、０８時から１８時まで）が縦列で順番に表示されており、そのうちの１つがカーソル２８ｄでフォーカスされて指定されている。この電子番組表２６Ｌが表示開始されるときには、カーソル２８ｄでフォーカスされる時刻は現在時刻表示欄２９に表示されている時刻である。
【００８１】
かかる表示状態でリモコン７の上キー１０Ｕまたは下キー１０Ｄが操作されると、カーソル２８ｄが上方または下方に移動し、表示されている時刻のいずれかを指定することができる。カーソル２８ｄが最上位の時刻をフォーカスした状態でさらに上キー１０Ｕが操作されると、時刻の列が下方にスクロールしてこれまで表示されていなかった時刻が上から時刻一覧表示エリア３２に現われて表示されるようになり、また、カーソル２８ｄが最下位の時刻をフォーカスした状態でさらに下キー１０Ｄが操作されると、時刻の列が上方にスクロールしてこれまで表示されていなかった時刻が下から時刻一覧表示エリア３２に現われて表示されるようになる。これにより、所望の時刻を指定することができる。
【００８２】
図１５は図１４に示す表示状態で時刻を変更した電子番組表を示す図であって、２６Ｍは電子番組表であり、図１４に対応する部分には同一符号をつけて説明を省略する。
【００８３】
図１６は図１５に示す表示状態でリモコン７の決定キー１１を操作したときの表示状態を示す図であって、２６Ｎは電子番組表であり、前出図面に対応する部分には同一符号をつけて重複する説明を省略する。
【００８４】
図１５に示す時刻一覧表示エリア３２で「１８時」と時刻がフォーカスされている電子番組表２６Ｍの表示状態でリモコン７の決定キー１１が操作されると、図１６に示すように、フォーカスされたチャンネル欄であるチャンネル１のチャンネル欄２７ａでの中央部に表示される放送時刻が１８時の番組「００  番組Ｃ−１６」がカーソル２８でフォーカスされた電子番組表２６Ｎの表示状態となる。この電子番組表２６Ｎでは、図１５で示した時刻一覧表示エリア３２が表示されず、代わりに時刻表示欄２９がカーソル２８ｂによってフォーカスされている。即ち、図８に示す電子番組表２６Ｆと同様の画面となるが、図１５に示す電子番組表２６Ｍでの時刻の変更操作により、時刻表示欄２９での時刻が変更され、これとともに、各チャンネル欄２７での表示される番組がこの時刻表示欄２９の時刻（１１月１５日（水）の１７時〜１９時）で放送開始される番組となっている。
【００８５】
この電子番組表２６Ｎの表示状態でリモコン７の決定キー１１が操作されると、再び図１５に示す時刻一覧表示エリア３２が表示される電子番組表２６Ｍが表示され、上記のようにして、表示画面４に表示する電子番組表を変更することができる。
【００８６】
このようにして、時刻一覧表示エリア３２を表示させることにより、閲覧を希望する時刻の電子番組表の表示を簡単に行なわせることができ、閲覧する時刻を大きく変更する場合でも、従来の番組の検索方法のように、電子番組表を長々とスクロールさせる必要はなく、時刻の異なる番組の検索の手間を大幅に軽減できることになる。
【００８７】
ところで、これまでは、日付一覧表示エリア３１を表示させて日付の変更を行ない、また、時刻一覧表示エリア３２を表示させて時刻の変更を行なうものであったが、この実施形態では、さらに、これら表示エリア３１，３２を表示させなくとも、日付や時刻の変更を行なうことができる。以下、これについて説明する。
【００８８】
即ち、図５に示すように、日付表示欄３０がカーソル２８ａでフォーカスされて選択されている表示状態でリモコン７の上キー１０Ｕが操作されると、現在表示されている番組の一覧よりも１日前の日付で放送時刻が変わらない番組の一覧の表示状態に切り換わる。同様に、図５に示す表示状態で、リモコン７の下キー１０Ｄが操作されると、現在表示されている番組の一覧よりも１日後の日付で放送時刻が変わらない番組の一覧の表示状態に切り換わる。例えば、図５に示す電子番組表２６Ｃが表示された状態で、リモコン７の上キー１０Ｕが操作されると、この電子番組表２６Ｃよりも１日前の日付の電子番組表、即ち、図１３に示す電子番組表２６Ｋの表示状態に切り換わる。
【００８９】
また、図８に示すように、時刻表示欄２９がカーソル２８ｂでフォーカスされて選択されている表示状態で、リモコン７の上キー１０Ｕが操作されると、予めメモリ２４（図２）に記憶されている時刻変更量が読み出され、現在カーソル２８でフォーカスされて選択されている番組の放送開始時刻よりも、この時刻変更量分、早く放送開始される番組がカーソル２８でフォーカスされて選択された表示状態に切り換わる。これとともに、時刻表示欄２９に表示される時刻も切り換わるし、日付表示欄３０でも、１日前の時刻に変更されたときには、表示される日付も切り換わる。同様にして、図８に示す表示状態で、リモコン７の下キー１０Ｄが操作されると、現在カーソル２８でフォーカスされて選択されている番組の放送開始時刻よりも、上記の時刻変更量分、遅く放送開始される番組がカーソル２８でフォーカスされて選択された表示状態に切り換わる。これとともに、時刻表示欄２９に表示される時刻も切り換わるし、日付表示欄３０でも、次の日の時刻に変更されたときには、表示される日付も切り換わる。例えば、メモリ２４に記憶されている上記の時刻変更量が４時間３０分とすると、図８に示す表示状態でリモコン７の下キー１０Ｄが操作されたときには、このとき表示されている電子番組表２６Ｆでカーソル２８によってフォーカスされて選択されている番組の放送開始時刻１３時３０分よりも４時間３０分後の、即ち、放送開始時刻１８時００分の番組がカーソル２８でフォーカスされて選択された図１６に示す電子番組表２６Ｎが表示された状態に切り換わる。
【００９０】
以上のように、この第１の実施形態においては、カーソルキー１０や決定キー１１による簡単な操作でかつ迅速に、希望する日時の番組表を閲覧することが可能となる。また、カーソル２８によってフォーカスされる番組のチャンネル欄の左右両側に時刻表示欄２９と日付表示欄３０とが表示されるので、電子番組表２６を時間軸方向にスクロールするときには、時刻表示欄２９と日付表示欄３０とを同時に見ることが容易となり、時刻と日にちを確認しながらのスクロール操作が容易となる。
【００９１】
図１７は本発明による電子番組表閲覧装置の第２の実施形態での電子番組表の一表示状態を示す図であって、３３Ａは電子番組表であり、前出図面に対応する部分には同一符号をつけて重複する説明を省略する。
【００９２】
この第２の実施形態も、その構成は図１，図２に示した構成をなしており、そのリモコン７の操作も同様である。
【００９３】
かかる第２の実施形態において、上記と同様にして、リモコン７の電子番組表の表示のための操作をすると、図１７に示す電子番組表３３Ａが表示装置３の表示画面４に表示される。なお、この第２の実施形態での電子番組表も、上記第１の実施形態での上記電子番組表と同じレイアウトをなすものであり、ここでは、図１７に示す電子番組表は図３に示す電子番組表２６Ａと同じものである。
【００９４】
図１８は図１７に示す表示状態でリモコン７の右キー１０Ｒ（図１）を操作したときの状態を示す図であって、３３Ｂは電子番組表であり、前出図面に対応する部分には同一符号をつけて重複する説明を省略する。
【００９５】
図１７に示す表示状態でリモコン７の右キー１０Ｒを操作すると、図１８に示す電子番組表３３Ｂが表示される。この電子番組表３３Ｂでは、フォーカスされたチャンネル欄であるチャンネル１のチャンネル欄２７ａの右側に表示される日付表示欄３０をフォーカスするカーソル２８ａが表示される。このカーソル２８ａは、カーソル２８を右方向に移動させることを示すものである。
【００９６】
図１９は図１８に示す表示状態でリモコン７の右キー１０Ｒをさらに操作したときの表示状態を示す図であって、３３Ｃは電子番組表であり、前出図面に対応する部分には同一符号をつけて重複する説明を省略する。
【００９７】
図１８に示す表示状態でリモコン７の右キー１０Ｒをさらに操作すると、図１９に示す電子番組表３３Ｃが表示される。この電子番組表３３Ｃでは、カーソル２８が右方向真横に１チャンネル欄分移動し、チャンネル２のチャンネル欄２７ｂでの、チャンネル１のチャンネル欄２７ａでフォーカスされていた番組（ここでは、番組「３０  番組Ｃ−７」）の右横の番組（ここでは、番組「３０  番組Ｄ−４」）をフォーカスする。即ち、カーソル２８が右隣りに移ってフォーカスする。従って、チャンネル１のチャンネル欄２７ａがフォーカスされたチャンネル欄となる。
【００９８】
また、これとともに、カーソル２８ａでフォーカスされている日付表示欄３０がチャンネル２のチャンネル欄２７ｂの右側、即ち、このチャンネル２のチャンネル欄２７ｂの右隣りのチャンネル３のチャンネル欄２７ｃとの間に移り、時刻表示欄２９がチャンネル２のチャンネル欄２７ｂの左側、即ち、このチャンネル２のチャンネル欄２７ｂの左隣りのチャンネル１のチャンネル欄２７ａとの間に移る。即ち、カーソル２８とともに、日付表示欄３０と時刻表示欄２９も１チャンネル欄分右方に移動する。さらに、リモコン７の右キー１０Ｒを操作すると、カーソル２８と日付表示欄３０と時刻表示欄２９とがさらに１チャンネル欄分右方に移動する。
【００９９】
同様にして、リモコン７の左キー１０Ｌを操作すると、その操作毎にカーソル２８と日付表示欄３０と時刻表示欄２９とが１チャンネル欄分左方に移動する。
【０１００】
上記第１の実施形態では、リモコン７の右キー１０Ｒ，左キー１０Ｌを操作することにより、チャンネル欄２７の配列が左方向，右方向にスクロールするものであったが、この第２の実施形態では、同様の操作により、カーソル２８と日付表示欄３０と時刻表示欄２９とが一体となってその逆方向に移動するものである。これにより、フォーカスされたチャンネル欄を順次変更することができるが、この第２の実施形態においても、カーソル２８と日付表示欄３０と時刻表示欄２９とが一体となって移動することから、いずれかの番組がカーソル２８でフォーカスされたチャンネル欄の右隣りに常に日付表示欄３０が配置され、左隣りに時刻表示欄２９が配置される。
【０１０１】
なお、電子番組表の右端のチャンネル欄（図１８，図１９において、チャンネル３のチャンネル欄２７ｃ）がフォーカスされたチャンネル欄となった場合には、リモコン７の右キー１０Ｒを操作しても、カーソル２８と日付表示欄３０と時刻表示欄２９とが右方に移動することができないから、上記第１の実施形態と同様、チャンネル欄２７の配列が左方にスクロールすることになる。電子番組表の左端のチャンネル欄がフォーカスされたチャンネル欄となった場合も同様である。
【０１０２】
以上の点以外については、第１の実施形態と同様であり、先の図１１〜図１６で説明した操作を行なうことができる。従って、この第２の実施形態も、第１の実施形態と同様の効果が得られるものである。
【０１０３】
次に、本発明の電子番組表閲覧装置の第３の実施形態について説明する。この第３の実施形態も、先の実施形態と同様、図１及び図２の構成をなすものであり、リモコン７からの操作に応じた指令に応じて制御部２３が各部の制御を行ない、表示層３の表示画面４に電子番組表を閲覧可能に表示するものである。
【０１０４】
この第３の実施形態では、地上デジタル放送や地上アナログ放送といった放送形態毎に下位階層として放送局（チャンネル）が展開されており、さらに、各放送局毎に下位階層として放送番組が展開された階層構造をなし、所望とする放送形態の放送局を選択することにより、この選択された放送局の番組リストが表示されるようにしたものである。かかる選択は、リモコン７のカーソルキー１０や決定キー１１の操作で行なうことができる。
【０１０５】
図２０はかかる選択操作によって選択された放送局「Ａテレビ」の電子番組表を示す図であって、４０Ａは電子番組表、４１，４１ａ，４１ｂは番組リスト表示エリア、４２は番組表示エリア、４２Ｘはフォーカスされた番組表示エリア、４３はカーソル、４３Ｌは左マーク、４３Ｒは右マーク、４４はチャンネル表示エリア、４４ａは会社マーク、４４ｂはチャンネル番号、４４ｃは放送会社（放送局）名、４５は関連情報表示エリア、４６は時刻リスト表示エリア、４７は放送時刻表示マーク、４８は日付リスト表示エリア、４８ａは指定番組の放送日表示、４９は表示形式選択欄、４９ａは放送日表示である。
【０１０６】
同図において、この電子番組表４０Ａでは、中央部に番組リスト表示エリア４１が配置され、この番組リスト表示エリア４１をその中央部で跨ぐようにして、横長のチャンネル表示エリア４４が配置され、これに放送局（チャンネル）に関する情報、例えば、会社マーク４４ａやそのチャンネル番号４４ｂ，放送局名４４ｃなどが表示される。ここでは、会社マークとして「Ａ・ＴＶ」が、チャンネル番号として「０１１」が、放送会社名として「Ａテレビ」が夫々表示されている。従って、番組リスト表示エリア４１は、このチャンネル表示エリア４４により、上下に２つの番組リスト表示エリア４１ａ，４１ｂに２分されている。
【０１０７】
これら番組リスト表示エリア４１ａ，４１ｂには夫々、チャンネル表示エリア４４にチャンネル番号４４ｂや放送局名４４ｃが表示されるチャンネルの下位階層となる番組を表わす横長の番組表示エリア４２が上下に配列されて表示されている。そして、これら番組表示エリア４２のうちの１つがカーソル４３によってフォーカスされており、これにより、ここでは、上側の番組リスト表示エリア４１ａでの最も下側の番組表示エリア４２がフォーカスされた番組表示エリア４２Ｘとして、このフォーカスされた番組表示エリア４２Ｘに表示される番組「番組ＣＡ−０５」が指定（フォーカス）された状態にある。かかる表示状態でリモコン７の決定キー１１（図１）が操作されると、このフォーカス番組表示エリア４２Ｘの番組が選択決定されたことになり、先の実施形態と同様、メニューが表示されてこの選択された番組の受信予約や録画予約などを行なうことができる。
【０１０８】
番組リスト表示エリア４１ａ，４１ｂのうちのフォーカス番組表示エリア４２Ｘが表示されている方には（ここでは、番組リスト表示エリア４１ａ）、関連情報表示エリア４５が表示されており、そこに現在フォーカスされている番組表示エリア４２Ｘに表示される番組の関連情報（例えば、番組の概要や出演者など）が表示されている。
【０１０９】
番組リスト表示エリア４１の右辺に沿って時刻リスト表示エリア４６が縦長に配置されている。この時刻表示エリア４６には、００時から２４時（００時）までの２４個の時刻が縦に配列表示されている。この時刻リスト表示エリア４６は、番組リスト表示エリア４１で表示される番組表示エリア４２のうちでフォーカスされている番組表示エリア４２Ｘで表示される番組の放送開始時刻を表示するものであり、この放送開始時刻が放送時刻表示マーク４７によって表示されている。ここで、現在のフォーカスされた番組表示エリア４２Ｘの番組の放送開始時刻は「２０：００〜２０：４５」内であるから、放送時刻表示マーク４７は時刻リスト表示エリア４６で「２０」と「２１」との間に跨って表示されており、フォーカスされた番組の放送開始時刻が２０時から２１時の間であることを表わしている。従って、この時刻リスト表示エリア４６で放送時刻表示マーク４７の表示位置を見ることにより、フォーカスされた番組の放送開始時刻を知ることができる。
【０１１０】
また、この時刻リスト表示エリア４６の右側には、日付リスト表示エリア４８が配置されており、これに数日間にわたる日付が順番に表示されている。この日付リスト表示エリア４８は番組リスト表示エリア４１でのフォーカスされた番組表示エリア４２での指定番組の放送日とその前後の日付とを表示するものであり、この指定番組の放送開始日を表わす放送日表示４８ａが白黒反転で表示され、目立つように表示される。
【０１１１】
さらに、番組リスト表示エリア４１の左側には、番組リストの各種の表示形式を選択できるようにした表示形式選択欄４９が表示されており、選択された表示形式、即ち、表示済み表示形式４９ａが白黒反転で表示されて、目立つようにしている。ここでは、「リスト形式」が選択されているものとし、この表示形式で電子番組表４０Ａが表示されている。
【０１１２】
ここで、カーソル４３は、リモコン７の上キー１０Ｕ，下キー１０Ｄの操作により、番組リスト表示エリア４１で番組表示エリア４２を１つずつ上下に移動する。これにより、番組リスト表示エリア４１のいずれかの番組表示エリア４２をフォーカスして指定することができる。また、カーソル４３は、上側の番組リスト表示エリア４１ａから下側の番組表示エリア４１ｂに移るとき、また、その逆方向に移るとき、チャンネル表示エリア４４をフォーカスする。
【０１１３】
また、カーソル４３の左端部には、このカーソル４３を左方に移動させることが可能であることを示す左マーク４３Ｌが付されている。この左マーク４３Ｌが付されているとき、リモコン７の左キー１０Ｌ（図１）が操作されると、後述するように、このカーソル４３は左方向に移動する。また、カーソル４３の右端部には、このカーソル４３を右方に移動させることが可能であることを示す右マーク４３Ｒが付されている。この右マーク４３Ｒが付されているとき、リモコン７の右キー１０Ｒ（図１）が操作されると、後述するように、このカーソル４３は右方向に移動する。図２０の場合、カーソル４３は左右いずれの方向にも移動可能である。
【０１１４】
図２１はこのチャンネル表示エリア４４がフォーカスされた状態にある電子番組表４０Ｂを示すものであって、図２０に対応する部分には同一符号をつけている。
【０１１５】
同図において、このチャンネル表示エリア４４がフォーカスされたときには、時刻リスト表示エリア４６や日付リスト表示エリア４８，表示形式選択欄４９の表示状態はそのままの表示状態が保持される。即ち、番組リスト表示エリア４１での番組表示エリア４２がカーソル４３でフォーカスされている状態からチャンネル表示エリア４４がフォーカスされる状態に遷移しても、時刻リスト表示エリア４６や日付リスト表示エリア４８，表示形式選択欄４９の表示状態は変化しない。
【０１１６】
図２２は図２１に示す表示状態でリモコン７の下キー１０Ｄを操作したときの表示状態を示す図であって、４０Ｃは電子番組表であり、図２０，図２１に対応する部分には同一符号をつけて重複する説明を省略する。
【０１１７】
図２１に示す表示状態でリモコン７の下キー１０Ｄが操作されると、カーソル４３はチャンネル表示エリア４４に続く下側の番組リスト表示エリア４１ｂの最上位の番組表示エリア４２に移り、これをフォーカスされた番組表示エリア４２Ｘとする。
【０１１８】
これとともに、関連情報表示エリア４５も下側の番組リスト表示エリア４１ｂに表示され、このフォーカスされた番組表示エリア４２Ｘに表示される番組「番組ＣＡ−０６」の関連情報が表示される。また、時刻リスト表示エリア４６の放送時刻表示マーク４７がこのフォーカスされた番組表示エリア４２Ｘの番組「番組ＣＡ−０６」の放送時刻を、日付リスト表示エリア４８での指定番組の放送日表示４８ａもその番組の放送日を夫々表わすことになる。ここでは、図２０で示すフォーカスされた番組表示エリア４２Ｘでの指定番組と変わりないので、これらの表示内容も変わりない。
【０１１９】
図２３は図２２に示す状態でリモコン７の左キー１０Ｌを操作したときの表示状態を示す図であって、４０Ｄは電子番組表、４３ａはカーソルであり、図２０〜図２２に対応する部分には同一符号をつけて重複する説明を省略する。
【０１２０】
図２２に示す状態でリモコン７の左キー１０Ｌが操作されると、図２３に示すように、フォーカスされた番組表示エリア４２Ｘ（図２２）でのカーソル４３が左方に移動したようにして、この番組表示エリア４２Ｘの左方に配置されている表示形式選択欄４９でカーソル４３ａが表示され、このカーソル４３ａによって表示形式の１つがフォーカスされる。ここでは、現状の指定されている表現形式「リスト形式」がフォーカスされる。リモコン７の上キー１０Ｕまたは下キー１０Ｄを操作することにより、このカーソル４３ａを上下に移動させることができ、これにより、表示形式選択欄４９での任意の表示形式を指定することができるし、リモコン７の決定キー１１を操作することにより、指定されている表示形式を選択決定することができて、電子番組表４０Ｄの表示形式がこの決定された表示形式となる。
【０１２１】
なお、このように表示形式選択欄４９にカーソルが移ったときの電子番組表４０Ｄでは、番組リスト表示エリア４１でのフォーカスされた番組表示エリア４２Ｘは、番組名「番組ＣＡ−０６」などの表示内容が白黒反転表示され、フォーカスされていることが明示される。関連情報表示エリア４５や時刻リスト表示エリア４６，日付リスト表示エリア４８の表示内容は変化しない。
【０１２２】
カーソル４３ａには、このカーソル４３ａが右方向に移動可能であることを示す右マーク４３Ｒが付加されている。このカーソル４３ａは左方向に移動できないので（移動できるものがないので）、左マーク４３Ｌ（図２２）は付されていない。そこで、リモコン７の右キー１０Ｒが操作されると、図２２に示す電子番組表４０Ｃが表示される状態に戻る。
【０１２３】
図２４は図２２に示す表示状態でリモコン７の右キー１０Ｒを操作したときの表示状態を示す図であって、４０Ｅは電子番組表、４３ｂはカーソルであり、図２２に対応する部分には同一符号をつけて重複する説明を省略する。
【０１２４】
図２２に示す電子番組表４０Ｃの表示状態でリモコン７の右キー１０Ｒが操作されると、フォーカスされた番組表示エリア４２Ｘの右側の最も近い位置に表示される関連情報表示エリア４５にカーソル４３が移動したようになり、図２４に示すように、この関連情報表示エリア４５がカーソル４３ｂでフォーカスされた電子番組表４０Ｅの表示状態となる。
【０１２５】
ここで、フォーカスされた番組表示エリア４２Ｘの番組の関連情報が複数種類ある場合、これらは概念的にリング状に配列されていて、そのうちの１つが関連情報表示エリア４５に表示されている。
【０１２６】
この電子番組表４０Ｅにおいて、関連情報表示エリア４５が、上記のように、フォーカスされた状態にあるとき、リモコン７の下キー１０Ｄまたは上キー１０Ｕが操作されると、このリング状の関連情報の配列がスクロールする。即ち、リモコン７の下キー１０Ｄが操作されると、関連情報のリング状の配列がスクロールすることにより、関連情報表示エリア４５で関連情報が上方に移動して下側から次に配列されている関連情報が現われて表示される。また、リモコン７の上キー１０Ｕが操作されると、逆方向のスクロールにより、関連情報表示エリア４５で関連情報が下方に移動し、上側から次に配列されている関連情報が現われて表示される。
【０１２７】
また、関連情報表示エリア４５がフォーカスされている状態でリモコン７の決定キー１１が操作されると、関連情報表示エリア４５に関連情報の表示（文字など）を選択するモードとなり、関連情報表示エリア４５内にかかるモードを選択するための選択カーソルが表示される。かかる表示状態でリモコン７の戻るキー１３（図１）が操作されると、図２４に示す関連情報表示エリア４５がフォーカスされた状態の電子番組表４０Ｅの表示状態に戻る。
【０１２８】
このようにして、フォーカスすることによって指定した番組表示エリア４２Ｘの番組の関連情報を、リモコン７のカーソルキー１０の操作でもって、全て閲覧することができ、簡単な操作で所望の関連情報を見つけ出すことができる。
【０１２９】
カーソル４３ｂは、左マーク４３Ｌが付加されており、左方に移動可能となっている。そこで、リモコン７の左キー１０Ｌが操作されると、カーソル４３ｂが左方に移動するようになって、図２２に示す電子番組表４０Ｃが表示された状態に戻る。また、カーソル４３ｂは右マーク４３Ｒも付加されており、右方にも移動可能となっている。
【０１３０】
図２５は図２４に示す表示状態でリモコン７の右キー１０Ｒを操作したときの表示状態を示す図であって、４０Ｆは電子番組表、４３ｃはカーソルであり、図２４に対応する部分には同一符号をつけて重複する説明を省略する。
【０１３１】
図２４に示す電子番組表４０Ｅの表示状態でリモコン７の右キー１０Ｒが操作されると、カーソル４３ｂが右方に移動するようになって、図２５に示す電子番組表４０Ｆが表示された状態となる。この電子番組表４０Ｆでは、関連情報表示エリア４５の直ぐ右側にある時刻リスト表示エリア４６にカーソルが移るようにして、この時刻リスト表示エリア４６がカーソル４３ｃによってフォーカスされた状態となる。
【０１３２】
時刻リスト表示エリア４６がフォーカスされた状態でリモコン７の上キー１０Ｕまたは下キー１０Ｄが操作されると、放送時刻表示マーク４７が上下に移動し、これにより、番組リスト表示エリア４１でフォーカスされた番組表示エリア４２Ｘで表示する番組を異なる放送開始時刻の番組に変更できる。
【０１３３】
図２６は図２５に示す表示状態で、このように、リモコン７の上キー１０Ｕを操作したときの表示状態を示す図であって、４０Ｇは電子番組表であり、図２５に対応する部分には同一符号をつけて重複する説明を省略する。重複する説明を省略する。
【０１３４】
図２５に示す電子番組表４０Ｆでは、フォーカスされた番組表示エリア４２Ｘでの番組「番組ＣＡ−０６」の放送時間は「２０：４５〜２１：００」であって、放送開始時刻が２０時台であり、このため、時刻リスト表示エリア４６では、時刻を表わす「２０」と「２１」とに跨って放送時刻表示マーク４７が表示されている。
【０１３５】
かかる表示状態でリモコン７の上キー１０Ｕを操作し、図２６に示すように、時刻リスト表示エリア４６において、放送時刻表示マーク４７を放送開始時刻を表わす「０８」と「０９」とに跨るように移動させると、同じ日にちの（日付リスト表示エリア４８については変更していない）の８時台で放送開始される番組のうち最も早く放送開始する番組の番組表示エリア４２がフォーカスされた番組表示エリア４２Ｘとなるように、番組リスト表示エリア４１で表示される番組リストが変更される。即ち、図２５に示す電子番組表４０Ｆでフォーカスされていた番組表示エリア４２Ｘに代わって、図２６に示す電子番組表４０Ｇでは、放送時間が「０８：１５〜０８：３０」の番組「番組ＣＡ−５６」がフォーカスされた番組表示エリア４２Ｘに表示されることになり、これより放送開始時刻が早い番組がこのフォーカスされた番組表示エリア４２Ｘより上側の番組表示エリア４２に放送開始時刻順に表示され、これより放送開始時刻が遅い番組がこのフォーカスされた番組表示エリア４２Ｘより下側の番組表示エリア４２に放送開始時刻順に表示される。
【０１３６】
このようにして、同じ日付の希望する放送開始時刻の放送番組を指定する場合、番組リスト表示エリア４１内でカーソル４３を移動させるようにしてもよいが、リモコン７のカーソルキー１０の簡単な操作により、時刻リスト表示エリア４６でこの希望する番組の放送開始時刻を指定することができ、かかる指定操作により、希望する放送時刻の番組がフォーカスされた状態で、あるいはその近傍の位置に直ちに表示されることになり、希望する放送開始時刻の番組を手間や時間を掛けることなく、閲覧可能とすることができる。
【０１３７】
図２６に示す電子番組表４０Ｇでの時刻リスト表示エリア４６をフォーカスするカーソル４３ｃにも、これが左方に移動可能であることを示す左マーク４３Ｌが付加されており、リモコン７の左キー１０Ｌが操作されると、カーソル４３ｃが左方に移動するようにして、図２５に示す電子番組表４０Ｆが表示された状態に戻る。また、カーソル４３ｃは右マーク４３Ｒも付加されており、右方にも移動可能となっている。
【０１３８】
図２７は図２６に示す表示状態でリモコン７の右キー１０Ｒを操作したときの表示状態を示す図であって、４０Ｈは電子番組表、４３ｄはカーソルであり、図２６に対応する部分には同一符号をつけて重複する説明を省略する。
【０１３９】
図２６に示す電子番組表４０Ｇの表示状態でリモコン７の右キー１０Ｒが操作されると、カーソル４３ｃが右方に移動するようにして、図２７に示す電子番組表４０Ｈが表示された状態となる。この電子番組表４０Ｈでは、時刻リスト表示エリア４６の右側にある日付リスト表示エリア４８にカーソルが移るようにして、この日付リスト表示エリア４８での白黒反転による放送日表示４８ａの放送日がカーソル４３ｄによってフォーカスされた状態となる。
【０１４０】
かかる状態でリモコン７の上キー１０Ｕまたは下キー１０Ｄが操作されると、カーソル４３ｄが上下に移動し、これにより、フォーカスされる放送日を変更できる。カーソル４３ｄが上方に移動して最上の日付（ここでは、「０２月０２日（金）」）をフォーカスした状態となって、さらに、リモコン７の上キー１０Ｕが操作されると、カーソル４３ｄはそのままの位置に固定されて日付のリストが下方にスクロールし、上から表示されていなかった日付が順番に現われて表示される。同様に、カーソル４３ｄが下方に移動して最下の日付（ここでは、「０２月０９日（金）」）をフォーカスした状態となって、さらに、リモコン７の下キー１０Ｄが操作されると、カーソル４３ｄはそのままの位置に固定されて日付のリストが上方にスクロールし、下から表示されていなかった日付が順番に現われて表示される。これにより、任意の所望の日付を指定することができる。
【０１４１】
図２８は図２７に示す表示状態でリモコン７の下キー１０Ｄを操作したときの表示状態を示す図であって、４０Ｉは電子番組表であり、図２７に対応する部分には同一符号をつけて重複する説明を省略する。重複する説明を省略する。
【０１４２】
図２７に示す電子番組表４０Ｈでは、日付リスト表示エリア４８において、日付「０２月０５日（月）」がカーソル４３ｄでフォーカスされているが、かかる表示状態でリモコン７の下キー１０Ｄが操作されると、カーソル４３ｄが日付の１個分下方に移動し、図２８に示すように、日付リスト表示エリア４８において、「０２月０５日（月）」の次の日付の「０２月０６日（火）」がカーソル４３ｄによってフォーカスされた電子番組表４０Ｉが表示される状態に遷移する。
【０１４３】
そして、この電子番組表４０Ｉでは、日付リスト表示エリア４８で新たに日付「０２月０６日（火）」がフォーカスされるとともに、番組リスト表示エリア４１では、フォーカスされている番組表示エリア４２Ｘに表示される番組が、このフォーカスされている日付（即ち、「０２月０６日（火）」）の時刻リスト表示エリア４６で放送時刻表示マーク４７によって指定される放送開始時刻の番組に表示が変更される。ここでは、０２月０６日（火）の放送時間０８：１５〜０８：３０の番組「番組ＣＡ−８６」がフォーカスされた番組表示エリア４２Ｘに表示されている。そして、この番組「番組ＣＡ−８６」よりも放送開始時刻が早い番組がこのフォーカスされた番組表示エリア４２Ｘより上側の番組表示エリア４２に放送開始時刻順に表示され、これより放送開始時刻が遅い番組がこのフォーカスされた番組表示エリア４２Ｘより下側の番組表示エリア４２に放送開始時刻順に表示される。
【０１４４】
このようにして、異なる日にちに放送開始される放送番組を指定する場合、番組リスト表示エリア４１内でカーソル４３を移動させるようにしてもよいが、リモコン７のカーソルキー１０の簡単な操作により、日付リスト表示エリア４８でこの希望する放送日を指定することができ、かかる指定操作により、希望する放送日の番組がフォーカスされた状態で、あるいはその近傍の位置に直ちに表示されることになり、希望する放送日の番組を手間や時間を掛けることなく、閲覧可能とすることができる。
【０１４５】
図２８に示す電子番組表４０Ｉでの日付リスト表示エリアのカーソル４３ｄには、左方に移動可能であることを示す左マーク４３Ｌが付されており、また、右方に移動できるものがないため、右マーク４３Ｒは付けられていない。
【０１４６】
そこで、この電子番組表４０Ｉの表示状態でリモコン７の左キー１０Ｌが操作されると、カーソル４３ｄが日付リスト表示エリア４８から左方に移動したようにして、図２９に示すように、時刻リスト表示エリア４６がカーソル４３ｃでフォーカスされた電子番組表４０Ｊが表示される状態となる。この電子番組表４０Ｊは図２６に示す電子番組表４０Ｇと同様であり、日付リスト表示エリア４８でのフォーカスされる日付が異なる分番組リスト表示エリア４１で表示される番組が異なるだけである。次に、この電子番組表４０Ｊの表示状態でリモコン７の左キー１０Ｌが操作されると、カーソル４３ｃが時刻リスト表示エリア４６から左方に移動したようにして、図３０に示すように、関連情報表示エリア４５がカーソル４３ｂでフォーカスされた電子番組表４０Ｋが表示される状態となる。この電子番組表４０Ｋは図２４に示す電子番組表４０Ｅと同様であり、日付リスト表示エリア４８でのフォーカスされる日付が異なる分番組リスト表示エリア４１で表示される番組が異なるだけである。次に、この電子番組表４０Ｋの表示状態でリモコン７の左キー１０Ｌが操作されると、カーソル４３ｃが関連情報表示エリア４５から左方に移動したようにして、図３１に示すように、番組リスト表示エリア４１での白黒反転表示でフォーカスされている番組表示エリア４２Ｘがカーソル４３でフォーカスされた電子番組表４０Ｌが表示される状態となる。この電子番組表４０Ｌは図２２に示す電子番組表４０Ｃと同様であり、日付リスト表示エリア４８でのフォーカスされる日付が異なる分番組リスト表示エリア４１で表示される番組が異なるだけである。
【０１４７】
ところで、番組リスト表示エリア４１での番組表示エリア４２の１つがカーソル４３でフォーカスされている状態、例えば、図３１に示す電子番組表４０Ｌの表示状態でリモコン７の下キー１０Ｄが操作されていくと、カーソル４３が順次下方に移動していき、ついには、図３２に示す電子番組表４０Ｍのように、下端の番組表示エリア４２がカーソル４３でフォーカスされた状態になる。かかる状態で、さらに、リモコン７の下キー１０Ｄが操作されると、カーソル４３はこれ以上下方に移動することができず、代わりに番組表示エリア４２の列、即ち、電子番組表が上方にスクロールし、下側からこれまで表示されなかった番組の番組表示エリア４２が順次現われて表示されるようになる。
【０１４８】
図３３は、かかる操作により、図３２に示す表示状態から１番組表示エリア分番組表示エリア４２が上方にスクロールして表示される電子番組表４０Ｎを示すものであり、下端から現われる新たな番組「番組ＣＡ−９１」を表わす番組表示エリアがカーソル４３でフォーカスされた番組表示エリア４２Ｘとなる。従って、リモコン７の下キー１０Ｄを順次操作すると、番組リスト表示エリア４１の下端から順次新たな番組を表わす番組表示エリアが現われるが、下キー１０Ｄの操作に伴って新たに現われる番組表示エリア４２がカーソル４３でフォーカスされた番組表示エリア４２Ｘとなる。
【０１４９】
リモコン７の上キー１０Ｕの操作によってカーソル４３が番組リスト表示エリア４１の上端に達した場合も、同様である。
【０１５０】
ところで、地上デジタル放送や地上アナログ放送といった放送形態においては、夫々複数のチャンネル（放送局）があり、夫々の放送形態毎に複数のチャンネルが概念的にリング状に配列されており、その１つが番組リスト表示エリア４１でのチャンネル表示エリア４４に表示される。図２０〜図３４に示す番組リスト表示エリア４１には、放送形態が「地上デジタル放送」のチャンネルの１つであるチャンネル「０１１」の「Ａテレビ」が表示されているものとする。
【０１５１】
チャンネル表示エリア４４がカーソル４３でフォーカスされた図３４に示す電子番組表４０Ｏにおいて、リモコン７の左キー１０Ｌまたは右キー１０Ｒを操作することにより、放送形態「地上デジタル放送」のチャンネルのリング状の配列がスクロールし、これにより、番組リスト表示エリア４１に番組を表示するチャンネル（放送局）を変更することができる。
【０１５２】
図３５は図３４に示す表示状態でリモコン７の左キー１０Ｌを操作したときの表示状態を示す図であって、４０Ｐは電子番組表であり、図３４に対応する部分には同一符号をつけて重複する説明を省略する。
【０１５３】
チャンネル表示エリア４４がフォーカスされた図３４に示す電子番組表４０Ｏが表示されている状態でリモコン７の左キー１０Ｌが操作されると、チャンネル配列のスクロールにより、チャンネル表示エリア４４でのチャンネル表示「Ａ−ＴＶ  ０１１Ａテレビ」が右方に移動し、これとともに、このチャンネル表示エリア４４の左側から次に配列されるチャンネル表示が現われてきて、図３４に示すように、放送形態「地上デジタル放送」のチャンネル「Ａ−ＴＶ  ０１１Ａテレビ」の次に配列されているチャンネル「Ｚ  ０１０Ｚ放送」がチャンネル表示エリア４４に表示される電子番組表４０Ｐが、図３４に示す電子番組表４０Ｏと同じレイアウトで表示された状態となる。なお、このチャンネル表示の切り替えは瞬時に行なわれる。
【０１５４】
この電子番組表４０Ｐでは、その番組リスト表示エリア４１にチャンネル「Ｚ  ０１０Ｚ放送」の番組のリストが一連の番組表示エリア４２で表示される。この場合、日付リスト表示エリア４８で放送日表示４８ａによって指定される日にち（ここでは、２月６日（火））の時刻リスト表示エリア４６の放送時刻表時マーク４７で指定される時間帯（ここでは、８時〜９時）に放送開始される番組（ここでは、「番組ＣＢ−３６」）を中心として、その前後に放送開始されるチャンネル「Ｚ  ０１０Ｚ放送」の番組の番組表示エリア４２が表示される。
【０１５５】
以下、リモコン７の左キー１０Ｌを操作することに、番組のリスト表示するチャンネルが順次変更され、リモコン７の右キー１０Ｒを操作した場合も同様であり、このように、チャンネル表示エリア４４がフォーカスされた状態でリモコン７の左キー１０Ｌ，右キー１０Ｒを操作することにより、同じ放送形態内で番組をリスト表示するチャンネルを変更することができる。
【０１５６】
また、図３４や図３５に示すチャンネル表示エリア４４がフォーカスされている表示状態でリモコン７の決定キー１１を操作することにより、放送形態が異なるチャンネルを選択可能な状態とすることができる。以下、図３５に示すチャンネル表示エリア４４がフォーカスされている表示状態でリモコン７の決定キー１１が操作された場合について説明する。
【０１５７】
図３６は図３５に示す表示状態でリモコン７の決定キー１１を操作したときの表示状態を示す図であって、５０はチャンネルリスト表示エリア、５１はチャンネル表示エリア、５１Ｘはフォーカスされたチャンネル表示エリア、５２は放送形態表示エリア、５３はカーソル、５３Ｌは左マーク、５３Ｒは右マークであり、前出図面に対応する部分には同一符号を付けて重複する説明を省略する。
【０１５８】
チャンネル表示エリア４４がフォーカスされている図３５に示す電子番組表４０Ｐが表示されている状態で、リモコン７の決定キー１１が操作されと、図３６に示すように、この電子番組表４０Ｐ上にこれまで電子番組表が表示されていたチャンネルを含む放送形態、即ち、「地上デジタル放送」での各チャンネルを表わすチャンネルリスト表示エリア５０が重なって表示される。
【０１５９】
このチャンネルリスト表示エリア５０では、その上下の中央部にこの放送形態「地上デジタル放送」を表わす放送形態表示エリア５２が設けられており、その上側と下側とにこの放送形態「地上デジタル放送」での各チャンネルを表わすチャンネル表示エリア５１が上下に配列表示されている。そして、このチャンネル表示エリア５１には、放送会社の関する情報、例えば、上記の会社マーク５１ａ，チャンネル番号５１ｂ，放送会社名５１ｃなどが表示されている。
【０１６０】
かかるチャンネルリスト表示エリア５０には１つのカーソル５３が設けられており、チャンネル表示エリア５１と放送形態表示エリア５２とのいずれか１つをフォーカスしている。この場合には、図３５に示すチャンネル「０１０」の「Ｚ放送」の番組リストの電子番組表４０Ｐを表示した状態でかかるチャンネルリスト表示エリア５０が表示されたものであるから、このチャンネルリスト表示エリア５０では、このチャンネル「０１０」の「Ｚ放送」が選択、即ち、フォーカスされた状態にある。従って、かかるチャンネルリスト表示エリア５０でリモコン７の決定キー１１が操作されると、図３５に示す電子番組表４０Ｐの表示状態に戻る。
【０１６１】
図３６に示す表示状態でリモコン７の上キー１０Ｕが操作されると、図３７に示すように、カーソル５３が１つ上のチャンネル「００５」の「Ｇ放送」のチャンネル表示エリア５１に移り、これをフォーカスされたチャンネル表示エリア５１Ｘとする。この表示状態でリモコン７の決定キー１１が操作されると、このチャンネル「００５」の「Ｇ放送」の番組リストを表示した図３５の電子番組表４０Ｐと同様のレイアウトの電子番組表が表示された状態となる。
【０１６２】
図３７に示す表示状態で、さらに、リモコン７の上キー１０Ｕが操作されると、カーソル５３がさらに上方に移動して放送形態表示エリア５２に移り、この放送形態表示エリア５２がフォーカスされて表示状態となる。
【０１６３】
図３８はかかるフォーカス状態を示す図であって、５３Ｌは左マーク、５３Ｒは右マークであり、前出図面に対応する部分には、同一符号をつけて重複する説明を省略する。
【０１６４】
同図において、放送形態表示エリア５２をフォーカスしたときのカーソル５３には、その左端に左マーク５３Ｌが、その右端に右マーク５３Ｒが夫々付されている。この左マーク５３Ｌはカーソル５３を左方にスクロールすることが可能であることを示すものであり、右マーク５３Ｒはカーソル５３を右方にスクロールすることが可能であることを示すものである。
【０１６５】
図３８に示す表示状態でさらにリモコン７の上キー１０Ｕが操作されると、カーソル５３がさらに１つ上のチャンネル「０４１」のチャンネル表示エリア５１に移り、以下、リモコン７の上キー１０Ｕが操作される毎にチャンネル表示エリア５１を１つずつ移動していく。そして、カーソル５３は最上位のチャンネル表示エリア５１に達するが、上記のように、放送形態の複数のチャンネルが概念的にリング状に配列されていることから、かかる状態で、さらに、リモコン７の上キー１０Ｕが操作されると、カーソル５３の表示位置は最上位のチャンネル表示エリア５１にそのまま維持されて、チャンネルの表示リストが下方にスクロールし、かかるリストの表示エリアの上端から順次新たなチャンネルを表示したチャンネル表示エリア５１が現われて表示される。
【０１６６】
以上のことは、リモコン７の下キー１０Ｄが操作された場合も同様であり、このようにして、放送形態表示エリア５２で表示される放送形態のいずれのチャンネルも表示させることができて、選択することができる。
【０１６７】
ここで、チォンネルリスト表示エリア５０の放送形態表示エリア５２で表示される各種の放送形態の表示は、概念的にリング状に配列されており、その１つが放送形態表示エリア５２で表示される。図３８において、放送形態表示エリア５２をフォーカスしたときのカーソル５３に付された左マーク５３Ｌ，右マーク５３Ｒは、かかる放送形態のリング上の配列をスクロールさせることができることを示すものである。図３８に示す状態でリモコン７の左キー１０Ｌが操作されると、放送形態のリング状の配列が放送形態表示エリア５２上で左側から右側に移動するようにスクロールし、リモコン７の右キー１０Ｒが操作されると、放送形態のリング状の配列がチャンネル表示エリア５２上で右側から左側に移動するようにスクロールする。
【０１６８】
図３９は図３８に示す表示状態でリモコン７の、例えば、左キー１０Ｌが操作されたときの表示状態を示す図であって、図３８に対応する部分には同一符号をつけて重複する説明を省略する。
【０１６９】
図３８に示す放送形態表示エリア５２がフォーカスされた表示状態でリモコン７の、例えば、左キー１０Ｌが操作されると、図３９に示すように、選択した放送形態を「地上アナロク放送」とする、即ち、放送形態表示エリア５２に「地上アナログ放送」が表示されたチャンネルリスト表示エリア５０が表示され、このチャンネルリスト表示エリア５０にこの放送形態「地上アナログ放送」のチャンネルが順次のチャンネル表示エリア５１に表示される。
【０１７０】
図４０は図３９に示す表示状態でリモコン７の上キー１０Ｕを操作したときの表示状態を示す図であって、図３９に対応する部分には同一符号をつけて重複する説明を省略する。
【０１７１】
図３９に示す表示状態でリモコン７の上キー１０Ｕが操作されると、図４０に示すように、カーソル５３が放送形態表示エリア５２の１つ上側のチャンネル表示エリア５１に移り、これをフォーカスされたチャンネル表示エリア５１Ｘとする。そして、かかるフォーカス状態でリモコン７の決定キー１１（図１）が操作されると、このフォーカスされているチャンネル表示エリア５１Ｘに表示されているチャンネルが選択されたことになり、これにより、先に説明したように、この選択されたチャンネルの電子番組表４０が表示され、所望の番組が選択できるようになる。
【０１７２】
図４１は図４０に示す表示状態でリモコン７の決定キー１１を操作したときの表示状態を示す図であって、４０Ｑは電子番組表であり、前出図面に対応する部分には同一符号をつけて重複する説明を省略する。
【０１７３】
図４０に示す表示状態でリモコン７の決定キー１１が操作されると、このときのフォーカスされたチャンネル表示エリア５１Ｘに表示される地上アナログ放送のチャンネル「４」の「テレビＦ」局が選択され、図４１に示すように、このチャンネル「４」の番組リスト表示エリア４１を示す電子番組表４０Ｑが、上記のレイアウトで表示される。そして、この電子番組表４０Ｑの番組リスト表示エリア４１には、日付リスト表示エリア４８で放送日表示４８ａによって指定される日にち（ここでは、２月６日（火））の時刻リスト表示エリア４６の放送時刻表時マーク４７で指定される時間帯（ここでは、８時〜９時）に放送開始される番組（ここでは、「番組Ｆ−３５」）とその前後の番組の番組表示エリア４２が表示される。
【０１７４】
この電子番組表４０Ｐの操作も、上記の電子番組表の場合と同様である。
【０１７５】
以上のようにして、リモコン７の方向キー１０と決定キーとの簡単な操作により、放送形態を変更できて、所望とする放送形態のチャンネルでの番組を任意に選択することができる。
【図面の簡単な説明】
【０１７６】
【図１】図１は本発明による電子番組表閲覧装置の一実施形態の全体構成を示す図である。
【図２】図１における装置本体内の回路構成の一具体例を示すブロック図である。
【図３】図１における表示画面４での電子番組表の一表示状態を示す図である。
【図４】図３に示す表示状態から縦方向１番組分スクロールしたときの表示状態を示す図である。
【図５】図４に示す表示状態でリモコンの右キーを操作したときの状態を示す図である。
【図６】図５に示す表示状態でリモコンの右キーをさらに操作したときの表示状態を示す図である。
【図７】図６に示す表示状態でリモコンの上キーまたは下キーを操作したときの表示状態を示す図である。
【図８】チャンネル１のチャンネル欄がフォーカスされたチャンネル欄であるときにリモコンの左キーを操作したときの表示状態を示す図である。
【図９】図８に示す表示状態でリモコンの左キーをさらに操作したときの表示状態を示す図である。
【図１０】図９に示す表示状態でリモコンの上キーまたは下キーを操作したときの表示状態を示す図である。
【図１１】図５に示す表示状態でリモコンの決定キーが操作されたときの表示状態を示す図である。
【図１２】図１１に示す表示状態で日付を変更した電子番組表を示す図である。
【図１３】図１２に示す表示状態でリモコンの決定キーを操作したときの表示状態を示す図である。
【図１４】図８に示す表示状態でリモコンの決定キーが操作されたときの表示状態を示す図である。
【図１５】図１４に示す表示状態で時刻を変更した電子番組表を示す図である。
【図１６】図１５に示す表示状態でリモコンの決定キーを操作したときの表示状態を示す図である。
【図１７】本発明による電子番組表閲覧装置の第２の実施形態での電子番組表の一表示状態を示す図である。
【図１８】図１７に示す表示状態でリモコンの右キーを操作したときの状態を示す図である。
【図１９】図１８に示す表示状態でリモコンの右キーをさらに操作したときの表示状態を示す図である。
【図２０】本発明による電子番組表閲覧装置の第３の実施形態での電子番組表の一表示状態を示す図である。
【図２１】図２０に示す表示状態からチャンネル表示エリアがフォーカスされた表示状態に遷移した電子番組表を示す図である。
【図２２】図２１に示す表示状態でリモコンの下キーを操作したときの表示状態を示す図である。
【図２３】図２２に示す状態でリモコンの左キーを操作したときの表示状態を示す図である。
【図２４】図２２に示す表示状態でリモコンの右キーを操作したときの表示状態を示す図である。
【図２５】図２４に示す表示状態でリモコンの右キーを操作したときの表示状態を示す図である。
【図２６】図２６は図２５に示す表示状態でリモコンの上キーまたは下キーを操作したときの表示状態を示す図である。
【図２７】図２６に示す表示状態でリモコンの右キーを操作したときの表示状態を示す図である。
【図２８】図２７に示す表示状態でリモコンの下キーを操作したときの表示状態を示す図である。
【図２９】図２８に示す表示状態でリモコンの左キーを操作したときの表示状態を示す図である。
【図３０】図２９に示す表示状態でリモコンの左キーを操作したときの表示状態を示す図である。
【図３１】図３０に示す表示状態でリモコンの左キーを操作したときの表示状態を示す図である。
【図３２】図３０に示す表示状態からリモコンの下キーを操作し続けてフォーカスされた番組表示エリアが番組リスト表示エリアの最下端の番組表示エリアとなったときの表示状態を示す図である。
【図３３】図３２に示す表示状態から１番組表示エリア分番組表示エリアが上方にスクロールされたときの表示状態を示す図である。
【図３４】図３２〜図３３に示す状態で、リモコンを操作することにより、チャンネル表示エリアをフォーカスした状態を示す図である。
【図３５】図３４に示す表示状態でリモコンの左キーを操作したときの表示状態を示す図である。
【図３６】図３５に示す表示状態でリモコンの決定キーを操作したときの表示状態を示す図である。
【図３７】図３６に示す表示状態でリモコンの上キーを操作したときの表示状態を示す図である。
【図３８】図３７に示す表示状態でリモコンの上キーを操作したときの表示状態を示す図である。
【図３９】図３８に示す表示状態でリモコン７の右キーまたは左キーを操作したときの表示状態を示す図である。
【図４０】図３９に示す表示状態でリモコンの上キーを操作したときの表示状態を示す図である。
【図４１】図４０に示す表示状態でリモコンの決定キーを操作したときの表示状態を示す図である。
【符号の説明】
【０１７７】
１  電子番組表閲覧装置
２  装置本体
３  表示装置
４  表示画面
７  リモコン
１０  方向キー
１０Ｕ  上キー
１０Ｄ  下キー
１０Ｌ  左キー
１０Ｒ  右キー
１１  決定キー
２６Ａ〜２６Ｎ  電子番組表
２７，２７ａ〜２７ｄ  チャンネル欄
２８，２８ａ〜２８ｄ  カーソル
２９  時刻表示欄
３０  日付表示欄
３１  日付一覧表示エリア
３２  時刻一覧表示エリア
３３Ａ〜３３Ｃ  電子番組表
４０，４０Ａ〜４０Ｑ  電子番組表
４１，４１ａ，４１ｂ  番組リスト表示エリア
４２  番組表示エリア
４２Ｘ  フォーカスされた番組表示エリア
４３，４３ａ〜４３ｄ  カーソル
４３Ｌ  左マーク
４３Ｒ  右マーク
４４  チャンネル表示欄
４５  関連情報表示エリア
４６  時刻リスト表示エリア
４７  放送時刻表示マーク
４８  日付リスト表示エリア
４８ａ  指定番組の放送日表示
４９  表示形式選択欄
４０  電子番組表
５０  チャンネルリスト表示エリア
５１  チャンネル表示エリア
５１Ｘ  フォーカスされたチャンネル表示エリア
５２  放送形態表示エリア
５３  カーソル
５３Ｌ  左マーク
５３Ｒ  右マーク
【図１】
2007266971.tif 000003
【図２】
2007266971.tif 000004
【図３】
2007266971.tif 000005
【図４】
2007266971.tif 000006
【図５】
2007266971.tif 000007
【図６】
2007266971.tif 000008
【図７】
2007266971.tif 000009
【図８】
2007266971.tif 000010
【図９】
2007266971.tif 000011
【図１０】
2007266971.tif 000012
【図１１】
2007266971.tif 000013
【図１２】
2007266971.tif 000014
【図１３】
2007266971.tif 000015
【図１４】
2007266971.tif 000016
【図１５】
2007266971.tif 000017
【図１６】
2007266971.tif 000018
【図１７】
2007266971.tif 000019
【図１８】
2007266971.tif 000020
【図１９】
2007266971.tif 000021
【図２０】
2007266971.tif 000022
【図２１】
2007266971.tif 000023
【図２２】
2007266971.tif 000024
【図２３】
2007266971.tif 000025
【図２４】
2007266971.tif 000026
【図２５】
2007266971.tif 000027
【図２６】
2007266971.tif 000028
【図２７】
2007266971.tif 000029
【図２８】
2007266971.tif 000030
【図２９】
2007266971.tif 000031
【図３０】
2007266971.tif 000032
【図３１】
2007266971.tif 000033
【図３２】
2007266971.tif 000034
【図３３】
2007266971.tif 000035
【図３４】
2007266971.tif 000036
【図３５】
2007266971.tif 000037
【図３６】
2007266971.tif 000038
【図３７】
2007266971.tif 000039
【図３８】
2007266971.tif 000040
【図３９】
2007266971.tif 000041
【図４０】
2007266971.tif 000042
【図４１】
2007266971.tif 000043